(57)【要約】【課題】外部機器との間の認証処理に要する時間を低減する。【解決手段】デジタル放送受信機のＭＰＵ１１は、リモコン３を介してユーザからの操作入力を受け付けて、受け付けられた操作入力に基づいて、３個のＨＤＭＩ入力端子１９１〜１９３の中から１のＨＤＭＩ入力端子１９を映像情報が入力される端子である映像入力端子として選択する第１端子選択部１１１と、第１端子選択部１１１によって映像入力端子として選択されたＨＤＭＩ入力端子１９に接続された外部機器４との間で認証処理を行うか否かを判定する認証要否判定部１１２と、認証要否判定部１１２によって認証処理を行うと判定された場合に、映像入力端子として選択された１のＨＤＭＩ入力端子１９を介して接続された外部機器４との間で認証処理を行う認証実行部１１３と、を備えている。【選択図】図２
2008288647.tif 000002
【特許請求の範囲】
【請求項１】
２以上の予め設定された所定数の入力端子を備え、該所定数の入力端子の中から選択された１の入力端子を介して外部機器から入力された映像情報をモニタに出力可能に構成された映像受信装置であって、
外部からの操作入力を受け付けて、受け付けられた操作入力に基づいて、前記所定数の入力端子の中から１の入力端子を映像情報が入力される端子である映像入力端子として選択する第１端子選択手段と、
前記第１端子選択手段によって映像入力端子として選択された入力端子に接続された外部機器との間で認証処理を行うか否かを判定する認証要否判定手段と、
前記認証要否判定手段によって認証処理を行うと判定された場合に、映像入力端子として選択された１の入力端子を介して接続された外部機器との間で認証処理を行う認証実行手段と、
を備えることを特徴とする映像受信装置。
【請求項２】
前記入力端子は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であることを特徴とする請求項１に記載の映像受信装置。
【請求項３】
前記認証要否判定手段は、前記第１端子選択手段によって映像入力端子として選択された１の入力端子を介して接続された外部装置から＋５Ｖ電源が供給されているか否かに基づき、認証処理を行うか否かを判定することを特徴とする請求項２に記載の映像受信装置。
【請求項４】
前記認証実行手段は、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行うことを特徴とする請求項１〜請求項３のいずれかに記載の映像受信装置。
【請求項５】
前記認証実行手段によって認証処理が成功した外部機器が接続されている入力端子を識別する情報である端子識別情報を格納する端子記憶手段と、
前記認証要否判定手段によって認証処理を行わないと判定された場合に、前記端子記憶手段に格納された端子識別情報に対応する入力端子を映像入力端子として選択する第２端子選択手段と、
を備え、
前記認証要否判定手段は、前記第２端子選択手段によって映像入力端子として選択された入力端子に接続された外部機器との間で認証処理を行うか否かを判定し、
前記認証実行手段は、認証処理が成功した場合に、認証処理が成功した外部機器が接続されている入力端子を識別する情報である端子識別情報を前記端子記憶手段に書き込むことを特徴とする請求項１〜請求項４のいずれかに記載の映像受信装置。
【請求項６】
前記第２端子選択手段によって前記端子記憶手段に格納された端子識別情報に対応する入力端子が映像入力端子として選択され、且つ、前記認証要否判定手段によって認証処理を行うと判定された場合に、前記認証実行手段に対して認証処理の実行を禁止する認証禁止手段を備えることを特徴とする請求項５に記載の映像受信装置。
【請求項７】
前記所定数は、３以上の数であって、
前記第２端子選択手段によって前記端子記憶手段に格納された端子識別情報に対応する入力端子が映像入力端子として選択され、且つ、前記認証要否判定手段によって認証処理を行わないと判定された場合に、前記所定数の入力端子の中から、前記第１端子選択手段によって選択された入力端子及び前記第２端子選択手段によって選択された入力端子を除く入力端子を、予め設定されたルールに則って映像入力端子として選択する第３端子選択手段を備え、
前記認証要否判定手段は、前記第３端子選択手段によって映像入力端子として選択された入力端子に接続された外部機器との間で認証処理を行うか否かを判定することを特徴とする請求項６に記載の映像受信装置。
【請求項８】
請求項１〜請求項７のいずれかに記載の映像受信装置と、
テレビジョン放送を受信する放送受信手段と、
を備え、
前記放送受信手段を介して受信された映像情報、及び、前記映像受信装置の映像入力端子として選択された入力端子を介して外部機器から入力される映像情報の少なくとも一方をモニタに出力することを特徴とする放送受信装置。
【発明の詳細な説明】
【技術分野】
【０００１】
本発明は、２以上の予め設定された所定数の入力端子を備え、該所定数の入力端子の中から選択された１の入力端子を介して外部機器から入力された映像情報をモニタに出力可能に構成された映像受信装置に関する。また、テレビジョン放送を受信して、受信された映像情報をモニタに出力可能に構成された放送受信装置に関する。
【背景技術】
【０００２】
従来、映像情報を送出する外部機器と、外部機器からの映像情報を受け付けてモニタに表示する映像受信機器との間は、コンポーネント接続等のアナログ接続が一般的であるが、アナログ接続はノイズに弱く、映像信号が劣化する可能性がある。この問題を解決するために、外部機器と映像受信機器とをデジタル接続するＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格が定められた。また、デジタル接続の場合は不正コピーの懸念があるが、ＨＤＭＩではコピー防止技術であるＨＤＣＰ（Ｈｉｇｈ−ｂａｎｄｗｉｄｔｈ  Ｄｉｇｉｔａｌ  Ｃｏｎｔｅｎｔｓ  Ｐｒｏｔｅｃｔｉｏｎ）を採用することにより、認証に成功した機器間でのみ映像信号の送受信を可能にした。
【０００３】
上記ＨＤＭＩ規格に準拠してＨＤＣＰ方式の認証を行う種々の装置、方法が提案されている。例えば、コピー防止信号を含むデジタルＡＶ（Ａｕｄｉｏ／Ｖｉｓｕａｌ）信号を受信するためのデジタルインターフェイスと、それを介して外部機器との間でＡＶ信号出力の許可認証を行うための認証装置と、実行された認証結果をユーザに提示するための認証結果表示装置と、認証結果を判断し認証結果表示装置に出力するための制御装置とを具備するＡＶ信号受信機が提案されている（特許文献１参照）。
【特許文献１】特開２００６−２４６３００号公報
【発明の開示】
【発明が解決しようとする課題】
【０００４】
しかしながら、上記ＡＶ信号受信機等の従来の映像受信装置においては、複数の入力端子を備え、複数の入力端子の中から選択された１の入力端子を介して外部機器から入力された映像情報をモニタに出力可能に構成されている場合に、映像情報が入力される入力端子を切り換える度に、ＨＤＣＰ認証処理が実行されるため、ＨＤＣＰ認証処理に要する負荷が高くなり、処理速度の低下の要因となっていた。
【０００５】
すなわち、映像情報が入力される入力端子を切り換えた場合に、切り換えられた入力端子に接続された外部機器が映像情報を出力可能な状態ではない場合（例えば、外部機器の電源が投入されていない場合、又は、入力端子に外部機器が接続されていない場合）であっても、ＨＤＣＰ認証処理が開始されるため、不要なＨＤＣＰ認証処理を行う場合があった。
【０００６】
本発明は、上記課題に鑑みてなされたものであって、外部機器との間の認証処理に要する時間を低減することの可能な映像受信装置及び放送受信装置を提供することを目的としている。
【課題を解決するための手段】
【０００７】
上記目的を達成するために請求項１に記載の映像受信装置は、２以上の予め設定された所定数の入力端子を備え、該所定数の入力端子の中から選択された１の入力端子を介して外部機器から入力された映像情報をモニタに出力可能に構成された映像受信装置であって、外部からの操作入力を受け付けて、受け付けられた操作入力に基づいて、前記所定数の入力端子の中から１の入力端子を映像情報が入力される端子である映像入力端子として選択する第１端子選択手段と、前記第１端子選択手段によって映像入力端子として選択された入力端子に接続された外部機器との間で認証処理を行うか否かを判定する認証要否判定手段と、前記認証要否判定手段によって認証処理を行うと判定された場合に、映像入力端子として選択された１の入力端子を介して接続された外部機器との間で認証処理を行う認証実行手段と、を備えることを特徴としている。
【０００８】
請求項２に記載の映像受信装置は、請求項１に記載の映像受信装置であって、前記入力端子が、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であることを特徴としている。
【０００９】
請求項３に記載の映像受信装置は、請求項２に記載の映像受信装置であって、前記認証要否判定手段が、前記第１端子選択手段によって映像入力端子として選択された１の入力端子を介して接続された外部装置から＋５Ｖ電源が供給されているか否かに基づき、認証処理を行うか否かを判定することを特徴としている。
【００１０】
請求項４に記載の映像受信装置は、請求項１〜請求項３のいずれかに記載の映像受信装置であって、前記認証実行手段が、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行うことを特徴としている。
【００１１】
請求項５に記載の映像受信装置は、請求項１〜請求項４のいずれかに記載の映像受信装置であって、前記認証実行手段によって認証処理が成功した外部機器が接続されている入力端子を識別する情報である端子識別情報を格納する端子記憶手段と、前記認証要否判定手段によって認証処理を行わないと判定された場合に、前記端子記憶手段に格納された端子識別情報に対応する入力端子を映像入力端子として選択する第２端子選択手段と、を備え、前記認証要否判定手段が、前記第２端子選択手段によって映像入力端子として選択された入力端子に接続された外部機器との間で認証処理を行うか否かを判定し、前記認証実行手段が、認証処理が成功した場合に、認証処理が成功した外部機器が接続されている入力端子を識別する情報である端子識別情報を前記端子記憶手段に書き込むことを特徴としている。
【００１２】
請求項６に記載の映像受信装置は、請求項５に記載の映像受信装置であって、前記第２端子選択手段によって前記端子記憶手段に格納された端子識別情報に対応する入力端子が映像入力端子として選択され、且つ、前記認証要否判定手段によって認証処理を行うと判定された場合に、前記認証実行手段に対して認証処理の実行を禁止する認証禁止手段を備えることを特徴としている。
【００１３】
請求項７に記載の映像受信装置は、請求項６に記載の映像受信装置であって、前記所定数が、３以上の数であって、前記第２端子選択手段によって前記端子記憶手段に格納された端子識別情報に対応する入力端子が映像入力端子として選択され、且つ、前記認証要否判定手段によって認証処理を行わないと判定された場合に、前記所定数の入力端子の中から、前記第１端子選択手段によって選択された入力端子及び前記第２端子選択手段によって選択された入力端子を除く入力端子を、予め設定されたルールに則って映像入力端子として選択する第３端子選択手段を備え、前記認証要否判定手段が、前記第３端子選択手段によって映像入力端子として選択された入力端子に接続された外部機器との間で認証処理を行うか否かを判定することを特徴としている。
【００１４】
請求項８に記載の放送受信装置は、請求項１〜請求項７のいずれかに記載の映像受信装置と、テレビジョン放送を受信する放送受信手段と、を備え、前記放送受信手段を介して受信された映像情報、及び、前記映像受信装置の映像入力端子として選択された入力端子を介して外部機器から入力される映像情報の少なくとも一方をモニタに出力することを特徴としている。
【発明の効果】
【００１５】
請求項１に記載の映像受信装置によれば、外部からの操作入力が受け付けられて、受け付けられた操作入力に基づいて、２以上の予め設定された所定数の入力端子の中から１の入力端子が、映像情報が入力される端子である映像入力端子として選択される。そして、映像入力端子として選択された入力端子に接続された外部機器との間で認証処理を行うか否かが判定され、認証処理を行うと判定された場合に、映像入力端子として選択された１の入力端子を介して接続された外部機器との間で認証処理が行われるため、外部機器との間の認証処理に要する時間を低減することができる。
【００１６】
すなわち、映像入力端子として選択された入力端子に接続された外部機器との間で認証処理を行うか否かが判定され、認証処理を行うと判定された場合に、映像入力端子として選択された１の入力端子を介して接続された外部機器との間で認証処理が行われるため、映像入力端子として選択された入力端子に接続された外部機器が映像情報を出力可能な状態ではない場合（例えば、外部機器の電源が投入されていない場合、又は、入力端子に外部機器が接続されていない場合）には、認証処理を行わないと判定することによって、外部機器との間の認証処理に要する時間を低減することができるのである。
【００１７】
請求項２に記載の映像受信装置によれば、入力端子がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であるため、外部機器との間でＨＤＭＩ規格に準拠したデジタル通信を行うことができる。
【００１８】
請求項３に記載の映像受信装置によれば、映像入力端子として選択された１の入力端子を介して接続された外部装置から＋５Ｖ電源が供給されているか否かに基づき、認証処理を行うか否かが判定されるため、外部機器との間の認証処理に要する時間を確実に低減することができる。
【００１９】
すなわち、映像入力端子として選択された１の入力端子を介して接続された外部装置から＋５Ｖ電源が供給されているか否かに基づき、認証処理を行うか否かが判定されるため、映像入力端子として選択された入力端子に接続された外部機器が映像情報を出力可能な状態ではない場合（例えば、外部機器の電源が投入されていない場合、又は、入力端子に外部機器が接続されていない場合）には、認証処理を行わないと判定されるので、外部機器との間の認証処理に要する時間を確実に低減することができるのである。
【００２０】
請求項４に記載の映像受信装置によれば、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理が行われるため、不正コピーを確実に防止することができる。
【００２１】
請求項５に記載の映像受信装置によれば、認証処理が成功した場合に、認証処理が成功した外部機器が接続されている入力端子を識別する情報である端子識別情報が端子記憶手段に書き込まれる。そして、外部からの操作入力に基づいて選択された入力端子に接続された外部機器との間での認証処理を行わないと判定された場合に、端子記憶手段に格納された端子識別情報に対応する入力端子が映像入力端子として選択され、映像入力端子として選択された入力端子に接続された外部機器との間で認証処理を行うか否かが判定されるため、外部機器との間の認証処理に要する時間を更に確実に低減することができる。
【００２２】
すなわち、外部からの操作入力に基づいて選択された入力端子に接続された外部機器との間での認証処理を行わないと判定された場合に、端子記憶手段に格納された端子識別情報に対応する入力端子が映像入力端子として選択され、映像入力端子として選択された入力端子に接続された外部機器との間で認証処理を行うか否かが判定されるため、外部からの操作入力に基づいて選択された入力端子に接続された外部機器との間での認証処理を行わないと判定された場合に、認証処理が成功した外部機器が接続されている入力端子が映像入力端子として選択されるので、外部機器との間の認証処理に要する時間を更に確実に低減することができるのである。
【００２３】
つまり、認証処理が成功した外部機器が接続されている入力端子が映像入力端子として選択されるので、認証処理が成功した時点から、外部機器との接続状態が変化しない限り、成功された認証処理が維持されると考えられるため、外部機器との間の認証処理に要する時間を更に確実に低減することができるのである。
【００２４】
請求項６に記載の映像受信装置によれば、端子記憶手段に格納された端子識別情報に対応する入力端子が映像入力端子として選択され、且つ、認証処理を行うと判定された場合に、認証処理の実行が禁止されるため、外部機器との間の認証処理に要する時間を更に確実に低減することができる。
【００２５】
すなわち、端子記憶手段に格納された端子識別情報に対応する入力端子が映像入力端子として選択され、且つ、認証処理を行うと判定された場合には、認証処理が完了した状態が保持されているため、改めて認証処理を行う必要がない。従って、この場合に、認証処理の実行が禁止されるため、外部機器との間の認証処理に要する時間を更に確実に低減することができるのである。
【００２６】
請求項７に記載の映像受信装置によれば、端子記憶手段に格納された端子識別情報に対応する入力端子が映像入力端子として選択され、且つ、認証処理を行わないと判定された場合に、３以上の所定数の入力端子の中から、外部からの操作入力に基づいて選択された入力端子及び端子記憶手段に格納された端子識別情報に対応する入力端子を除く入力端子が、予め設定されたルールに則って映像入力端子として選択され、映像入力端子として選択された入力端子に接続された外部機器との間で認証処理を行うか否かが判定されるため、ユーザが改めて映像入力端子として入力端子を選択する必要がないので、利便性良好に入力端子の選択を行うことができる。
【００２７】
請求項８に記載の放送受信装置によれば、請求項１〜請求項７のいずれかに記載の映像受信装置を備えており、テレビジョン放送を介して受信された映像情報、及び、映像受信装置の映像入力端子として選択された入力端子を介して外部機器から入力される映像情報の少なくとも一方がモニタに出力されるため、外部機器との間の認証処理に要する時間を低減することが可能な放送受信装置を実現することができる。
【発明を実施するための最良の形態】
【００２８】
以下に本発明の実施形態を、図面を参照しながら説明する。図１は、本発明に係るデジタル放送受信機の構成の一例を示すブロック図である。デジタル放送受信機１（映像受信装置、放送受信装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００２９】
デジタル放送受信機１は、リモコン３を介してユーザからの操作入力を受け付けて、受け付けた操作入力に基づいて、デジタル方式のテレビジョン放送を受信し、受信した映像情報をディスプレイ２１に表示すると共に、受信した音声情報をスピーカ２２に出力するものである。また、デジタル放送受信機１は、リモコン３を介してユーザからの操作入力を受け付けて、受け付けた操作入力に基づいて、ＨＤＭＩ入力端子１９を介して接続されたＤＶＤ（Ｄｉｇｉｔａｌ  Ｖｅｒｓａｔｉｌｅ  Ｄｉｓｋ）プレイヤ等の外部機器４から入力された映像情報をディスプレイ２１に表示すると共に、入力された音声情報をスピーカ２２に出力するものである。
【００３０】
出力装置２は、ディスプレイ２１及びスピーカ２２を備え、デジタル放送受信機１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報を外部から視認可能に表示するものである。スピーカ２２は、デジタル放送受信機１から入力された音声情報を出力するものである。
【００３１】
リモコン３（第１端子選択手段の一部に相当する）は、ユーザからの操作入力を受け付けて、受け付けられた操作入力に対応する赤外線信号を生成して、デジタル放送受信機１に対して出力するものである。
【００３２】
また、デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、ＨＤＭＩ入力端子１９を備えている。
【００３３】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３４】
操作部１４は、電源のＯＮ、ＯＦＦ操作、選局、外部入力の選択（＝ディスプレイ２１等に出力する映像情報等を受信するＨＤＭＩ入力端子１９の選択）等の各種操作を受け付けるものである。また、操作部１４は、赤外線通信を介して、リモコン３からの操作信号を受け付けて、各種操作を受け付けるものである。受信部１５（放送受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３５】
アンテナ部１５１は、テレビジョン放送波を受信するものである。チューナ部１５２は、アンテナ部１５１で受信されたテレビジョン放送波から、予め設定された（又は、リモコン３を介して受け付けられた）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３６】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００３７】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３８】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００３９】
ＨＤＭＩ入力端子１９（入力端子に相当する）は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であって、ＨＤＭＩ規格に則って、接続されたＤＶＤプレイヤ等の外部機器４との間で、ＭＰＵ１１（後述する認証実行部１１３）からの指示に従って、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行い、認証処理が成功した外部機器４から映像情報及び音声情報を受信するものである。
【００４０】
また、ここでは、ＨＤＭＩ入力端子１９は、３個のＨＤＭＩ入力端子１９１〜１９３から構成されており、各ＨＤＭＩ入力端子１９１〜１９３には、それぞれ、外部機器４１〜４３が、図略のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを介して通信可能に接続される。ＨＤＭＩ入力端子１９１〜１９３は、略同一の構成を有するため、以下の説明では、各ＨＤＭＩ入力端子１９１〜１９３を区別して説明する場合を除き、ＨＤＭＩ入力端子１９と総称する。
【００４１】
次に、デジタル放送受信機１が放送を受信する場合の動作について説明する。まず、送信されてきたデジタル放送波がアンテナ部１５１で受信される。操作部１４（又はリモコン３）を介して選局操作が受け付けられた場合には、チューナ部１５２によって受信するトランスポンダ（Ｔｒａｎｓｐｏｎｄｅｒ）の切り換えが行われる。受信されたデジタル放送波は、Ａ／Ｄ変換部１５３によりデジタル情報に変換され、復調部１５４によって復調される。
【００４２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００４３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００４４】
図２は、本発明に係るデジタル放送受信機１における主要部の構成の一例を示すブロック図である。ＭＰＵ１１は、機能的に、第１端子選択部１１１、認証要否判定部１１２、認証実行部１１３、第２端子選択部１１４、認証禁止部１１５、及び、第３端子選択部１１６を備えている。また、ＲＡＭ１２は、機能的に、端子記憶部１２１を備えている。
【００４５】
ここでは、ＭＰＵ１１が、図１に示すＲＯＭ１３等に予め格納された制御プログラムを読み出して実行することにより、第１端子選択部１１１、認証要否判定部１１２、認証実行部１１３、第２端子選択部１１４、認証禁止部１１５、第３端子選択部１１６等の機能部として機能すると共に、ＲＡＭ１２を、端子記憶部１２１として機能させるものである。
【００４６】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００４７】
端子記憶部１２１（端子記憶手段に相当する）は、認証実行部１１３によって認証処理が成功した外部機器４（外部機器４１〜４３）が接続されているＨＤＭＩ入力端子１９（ＨＤＭＩ入力端子１９１〜１９３）を識別する情報である端子識別情報を格納するものである。
【００４８】
端子記憶部１２１に格納されるＨＤＭＩ入力端子１９（ＨＤＭＩ入力端子１９１〜１９３）を識別する情報である端子識別情報は、認証実行部１１３によって書き込まれ（＝更新され）、第２端子選択部１１４によって読み出されるものである。
【００４９】
第１端子選択部１１１（第１端子選択手段の一部に相当する）は、リモコン３を介してユーザからの操作入力を受け付けて、受け付けられた操作入力に基づいて、所定数の（ここでは、３個の）ＨＤＭＩ入力端子１９１〜１９３の中から１のＨＤＭＩ入力端子１９（例えば、ＨＤＭＩ入力端子１９２）を映像情報が入力される端子である映像入力端子として選択するものである。
【００５０】
認証要否判定部１１２（認証要否判定手段に相当する）は、第１端子選択部１１１、第２端子選択部１１４、又は、第３端子選択部１１６によって映像入力端子として選択されたＨＤＭＩ入力端子１９（例えば、ＨＤＭＩ入力端子１９２）に接続された外部機器（例えば、外部機器４２）との間で認証処理を行うか否かを判定するものである。
【００５１】
具体的には、認証要否判定部１１２は、第１端子選択部１１１、第２端子選択部１１４、又は、第３端子選択部１１６によって映像入力端子として選択された１の入力端子（ここでは、ＨＤＭＩ入力端子１９２）を介して接続された外部機器４（ここでは、外部機器４２）から＋５Ｖ電源が供給されているか否かに基づき、認証処理を行うか否かを判定するものである。
【００５２】
すなわち、認証要否判定部１１２は、映像入力端子として選択された１の入力端子（ここでは、ＨＤＭＩ入力端子１９２）を介して接続された外部機器４（ここでは、外部機器４２）との間で、ＨＤＣＰ方式の認証処理の実行が可能な状態であるか否かを、外部機器４（ここでは、外部機器４２）から＋５Ｖ電源が供給されているか否かに基づいて判定するものである。
【００５３】
図３は、ＨＤＭＩ入力端子１９に接続されるコネクタのピン配列の一例を示す図である。ここでは、コネクタがいわゆるＡタイプのコネクタである場合について説明する。（ａ）は、ピン配列を示す構成図であり、（ｂ）は、各ピンから入力される信号名称を示す図表である。（ａ）に示すようにＨＤＭＩ入力端子１９に接続されるコネクタは、１８個のピンを有しており、第１８番のピンに、外部機器４から＋５Ｖ電源が入力される。
【００５４】
ただし、ＨＤＭＩ入力端子１９を介して接続された外部機器４の電源が投入されていない場合には、第１８番のピンに、外部機器４から＋５Ｖ電源が入力されることはない。また、ＨＤＭＩ入力端子１９に外部機器４が接続されていない場合にも、第１８番のピンに、外部機器４から＋５Ｖ電源が入力されることはない。なお、コネクタがいわゆるＢタイプのコネクタである場合には、第２８番のピンに、外部機器４から＋５Ｖ電源が入力される。
【００５５】
再び、図２を用いてＭＰＵ１１の機能構成について説明する。認証実行部１１３（認証実行手段に相当する）は、認証要否判定部１１２によって認証処理を行うと判定された場合に、映像入力端子として選択された１の入力端子を介して接続された外部機器４との間でＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理を行うものである。ただし、認証実行部１１３は、認証禁止部１１５によって認証処理の実行が禁止されている場合には、認証処理を行わない。      
【００５６】
また、認証実行部１１３は、認証処理を実行した結果、認証処理が成功した場合に、認証処理が成功した外部機器４が接続されているＨＤＭＩ入力端子１９を識別する情報である端子識別情報を端子記憶部１２１に書き込むものである。
【００５７】
第２端子選択部１１４（第２端子選択手段に相当する）は、認証要否判定部１１２によって認証処理を行わないと判定された場合に、端子記憶部１２１に格納された端子識別情報に対応するＨＤＭＩ入力端子１９（＝認証実行部１１３によって認証処理が成功したＨＤＭＩ入力端子１９：例えば、ＨＤＭＩ入力端子１９１）を映像入力端子として選択するものである。
【００５８】
認証禁止部１１５（認証禁止手段に相当する）は、第２端子選択部１１４によって端子記憶部１２１に格納された端子識別情報に対応するＨＤＭＩ入力端子１９（例えば、ＨＤＭＩ入力端子１９１）が映像入力端子として選択され、且つ、認証要否判定部１１２によって認証処理を行うと判定された場合に、認証実行部１１３に対して認証処理の実行を禁止するものである。
【００５９】
すなわち、認証禁止部１１５は、第２端子選択部１１４によって端子記憶部１２１に格納された端子識別情報に対応するＨＤＭＩ入力端子１９（ここでは、ＨＤＭＩ入力端子１９１）が映像入力端子として選択され、且つ、認証要否判定部１１２によって認証処理を行う（＝認証処理の実行が可能な状態である）と判定された場合には、既に認証実行部１１３によって認証処理が成功しているため、認証処理の実行が不要であるので、認証実行部１１３に対して認証処理の実行を禁止するのである。
【００６０】
第３端子選択部１１６（第３端子選択手段に相当する）は、第２端子選択部１１４によって端子記憶部１２１に格納された端子識別情報に対応するＨＤＭＩ入力端子１９（＝認証実行部１１３によって認証処理が成功したＨＤＭＩ入力端子１９：ここでは、ＨＤＭＩ入力端子１９１）が映像入力端子として選択され、且つ、認証要否判定部１１２によって認証処理を行わない（＝認証処理の実行が可能な状態ではない）と判定された場合に、３個のＨＤＭＩ入力端子１９１〜１９３の中から、第１端子選択部１１１によって選択されたＨＤＭＩ入力端子１９（ここでは、ＨＤＭＩ入力端子１９２）及び第２端子選択部１１４によって選択されたＨＤＭＩ入力端子１９（ここでは、ＨＤＭＩ入力端子１９１）を除くＨＤＭＩ入力端子１９（ここでは、ＨＤＭＩ入力端子１９３）を、映像入力端子として選択するものである。
【００６１】
図４、図５は、デジタル放送受信機１（主にＭＰＵ１１）の動作の一例を示すフローチャートである。なお、ここでは、予め端子記憶部１２１に認証実行部１１３によって認証処理が成功した外部機器４（ここでは、外部機器４１）が接続されているＨＤＭＩ入力端子１９（ここでは、ＨＤＭＩ入力端子１９１）を識別する情報である端子識別情報が格納されている場合について説明する。まず、第１端子選択部１１１によって、ＨＤＭＩ入力端子１９１〜１９３の中から１のＨＤＭＩ入力端子１９（例えば、ＨＤＭＩ入力端子１９２）が映像入力端子として選択されたか否かの判定が行われる（Ｓ１０１）。１のＨＤＭＩ入力端子１９が映像入力端子として選択されていないと判定された場合（Ｓ１０１でＮＯ）には、処理が待機状態とされる。
【００６２】
１のＨＤＭＩ入力端子１９（ここでは、ＨＤＭＩ入力端子１９２）が映像入力端子として選択されたと判定された場合（Ｓ１０１でＹＥＳ）には、認証要否判定部１１２によって、ステップＳ１０１において映像入力端子として選択されたＨＤＭＩ入力端子１９（ここでは、ＨＤＭＩ入力端子１９２）に接続された外部機器（ここでは、外部機器４２）との間で認証処理を行うか否かが判定される（Ｓ１０３）。そして、認証実行部１１３によって、ステップＳ１０３において認証処理を行うと判定されたか否かの判定が行われる（Ｓ１０５）。
【００６３】
認証処理を行わないと判定された場合（Ｓ１０５でＮＯ）には、処理がステップＳ１１１に進められる。認証処理を行うと判定された場合（Ｓ１０５でＹＥＳ）には、認証実行部１１３によって、認証処理が実行される（Ｓ１０７）。そして、認証実行部１１３によって、認証が完了したＨＤＭＩ入力端子１９（ここでは、ＨＤＭＩ入力端子１９２）を識別する情報である端子識別情報が端子記憶部１２１に書き込まれ（Ｓ１０９）、処理が終了される。
【００６４】
ステップＳ１０５でＮＯの場合には、第２端子選択部１１４によって、端子記憶部１２１に格納された端子識別情報に対応するＨＤＭＩ入力端子１９（ここでは、ＨＤＭＩ入力端子１９１）が映像入力端子として選択される（Ｓ１１１）。そして、認証要否判定部１１２によって、ステップＳ１１１において映像入力端子として選択されたＨＤＭＩ入力端子１９（ここでは、ＨＤＭＩ入力端子１９１）に接続された外部機器（ここでは、外部機器４１）との間で認証処理を行うか否かが判定される（Ｓ１１３）。次いで、認証実行部１１３によって、ステップＳ１１３において認証処理を行うと判定されたか否かの判定が行われる（Ｓ１１５）。認証処理を行うと判定された場合（Ｓ１１５でＹＥＳ）には、認証禁止部１１５によって、認証実行部１１３に対して認証処理の実行が禁止され（Ｓ１１７）、処理が終了される。
【００６５】
認証処理を行わないと判定された場合（Ｓ１１５でＮＯ）には、図５に示すように、第３端子選択部１１６によって、第１端子選択部１１１又は第２端子選択部１１４によって選択されたＨＤＭＩ入力端子１９（ここでは、ＨＤＭＩ入力端子１９１、ＨＤＭＩ入力端子１９２）を除くＨＤＭＩ入力端子１９（ここでは、ＨＤＭＩ入力端子１９３）が、映像入力端子として選択される（Ｓ１１９）。そして、認証要否判定部１１２によって、ステップＳ１１９において映像入力端子として選択されたＨＤＭＩ入力端子１９（ここでは、ＨＤＭＩ入力端子１９３）に接続された外部機器（ここでは、外部機器４３）との間で認証処理を行うか否かが判定される（Ｓ１２１）。次いで、認証実行部１１３によって、ステップＳ１２１において認証処理を行うと判定されたか否かの判定が行われる（Ｓ１２３）。
【００６６】
認証処理を行わないと判定された場合（Ｓ１２３でＮＯ）には、処理が終了される。認証処理を行うと判定された場合（Ｓ１２３でＹＥＳ）には、認証実行部１１３によって、認証処理が実行される（Ｓ１２５）。そして、認証実行部１１３によって、認証が完了したＨＤＭＩ入力端子１９（ここでは、ＨＤＭＩ入力端子１９３）を識別する情報である端子識別情報が端子記憶部１２１に書き込まれ（Ｓ１２７）、処理が終了される。
【００６７】
このようにして、リモコン３を介してユーザからの操作入力が受け付けられて、受け付けられた操作入力に基づいて、２以上の予め設定された所定数（ここでは、３個）のＨＤＭＩ入力端子１９の中から１のＨＤＭＩ入力端子１９（ここでは、ＨＤＭＩ入力端子１９２）が、映像情報が入力される端子である映像入力端子として選択される。そして、映像入力端子として選択されたＨＤＭＩ入力端子１９（ここでは、ＨＤＭＩ入力端子１９２）に接続された外部機器４（ここでは、外部機器４２）との間で認証処理を行うか否かが判定され、認証処理を行うと判定された場合に、映像入力端子として選択された１のＨＤＭＩ入力端子１９（ここでは、ＨＤＭＩ入力端子１９２）を介して接続された外部機器４（ここでは、外部機器４２）との間で認証処理が行われるため、外部機器４との間の認証処理に要する時間を低減することができる。
【００６８】
すなわち、映像入力端子として選択されたＨＤＭＩ入力端子１９（ここでは、ＨＤＭＩ入力端子１９２）に接続された外部機器４（ここでは、外部機器４２）との間で認証処理を行うか否かが判定され、認証処理を行うと判定された場合に、映像入力端子として選択された１のＨＤＭＩ入力端子１９（ここでは、ＨＤＭＩ入力端子１９２）を介して接続された外部機器４（ここでは、外部機器４２）との間で認証処理が行われるため、映像入力端子として選択されたＨＤＭＩ入力端子１９（ここでは、ＨＤＭＩ入力端子１９２）に接続された外部機器４（ここでは、外部機器４２）が映像情報を出力可能な状態ではない場合（例えば、外部機器４２の電源が投入されていない場合、又は、ＨＤＭＩ入力端子１９２に外部機器４２が接続されていない場合）には、認証処理を行わないと判定することによって、外部機器４との間の認証処理に要する時間を低減することができるのである。
【００６９】
また、入力端子がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子（ＨＤＭＩ入力端子１９）であるため、外部機器４との間でＨＤＭＩ規格に準拠したデジタル通信を行うことができる。
【００７０】
更に、映像入力端子として選択された１のＨＤＭＩ入力端子１９を介して接続された外部機器４から＋５Ｖ電源が供給されているか否かに基づき、認証処理を行うか否かが判定されるため、外部機器４との間の認証処理に要する時間を確実に低減することができる。
【００７１】
すなわち、映像入力端子として選択された１のＨＤＭＩ入力端子１９を介して接続された外部機器４から＋５Ｖ電源が供給されているか否かに基づき、認証処理を行うか否かが判定されるため、映像入力端子として選択されたＨＤＭＩ入力端子１９に接続された外部機器４が映像情報を出力可能な状態ではない場合（例えば、外部機器４の電源が投入されていない場合、又は、ＨＤＭＩ入力端子１９に外部機器４が接続されていない場合）には、認証処理を行わないと判定されるので、外部機器４との間の認証処理に要する時間を確実に低減することができるのである。
【００７２】
加えて、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）方式の認証処理が行われるため、不正コピーを確実に防止することができる。
【００７３】
また、認証処理が成功した場合に、認証処理が成功した外部機器４（ここでは、外部機器４１）が接続されているＨＤＭＩ入力端子１９（ここでは、ＨＤＭＩ入力端子１９１）を識別する情報である端子識別情報が端子記憶部１２１に書き込まれる。そして、リモコン３を介してユーザからの操作入力に基づいて選択されたＨＤＭＩ入力端子１９（ここでは、ＨＤＭＩ入力端子１９２）に接続された外部機器４（ここでは、外部機器４２）との間での認証処理を行わないと判定された場合に、端子記憶部１２１に格納された端子識別情報に対応するＨＤＭＩ入力端子１９（ここでは、ＨＤＭＩ入力端子１９１）が映像入力端子として選択され、映像入力端子として選択されたＨＤＭＩ入力端子１９（ここでは、ＨＤＭＩ入力端子１９１）に接続された外部機器４（ここでは、外部機器４１）との間で認証処理を行うか否かが判定されるため、外部機器４との間の認証処理に要する時間を更に確実に低減することができる。
【００７４】
すなわち、リモコン３を介してユーザからの操作入力に基づいて選択されたＨＤＭＩ入力端子１９（ここでは、ＨＤＭＩ入力端子１９２）に接続された外部機器４（ここでは、外部機器４２）との間での認証処理を行わないと判定された場合に、端子記憶部１２１に格納された端子識別情報に対応するＨＤＭＩ入力端子１９（ここでは、ＨＤＭＩ入力端子１９１）が映像入力端子として選択され、映像入力端子として選択されたＨＤＭＩ入力端子１９（ここでは、ＨＤＭＩ入力端子１９１）に接続された外部機器４（ここでは、外部機器４１）との間で認証処理を行うか否かが判定されるため、リモコン３を介してユーザからの操作入力に基づいて選択されたＨＤＭＩ入力端子１９（ここでは、ＨＤＭＩ入力端子１９２）に接続された外部機器４（ここでは、外部機器４２）との間での認証処理を行わないと判定された場合に、認証処理が成功した外部機器４（ここでは、外部機器４１）が接続されているＨＤＭＩ入力端子１９（ここでは、ＨＤＭＩ入力端子１９１）が映像入力端子として選択されるので、外部機器４との間の認証処理に要する時間を更に確実に低減することができるのである。
【００７５】
つまり、認証処理が成功した外部機器４（ここでは、外部機器４１）が接続されているＨＤＭＩ入力端子１９（ここでは、ＨＤＭＩ入力端子１９１）が映像入力端子として選択されるので、認証処理が成功した時点から、外部機器４（ここでは、外部機器４１）との接続状態が変化しない限り、成功された認証処理が維持されると考えられるため、外部機器４との間の認証処理に要する時間を更に確実に低減することができるのである。
【００７６】
更に、端子記憶部１２１に格納された端子識別情報に対応するＨＤＭＩ入力端子１９（ここでは、ＨＤＭＩ入力端子１９１）が映像入力端子として選択され、且つ、認証処理を行うと判定された場合に、認証処理の実行が禁止されるため、外部機器４との間の認証処理に要する時間を更に確実に低減することができる。
【００７７】
すなわち、端子記憶部１２１に格納された端子識別情報に対応するＨＤＭＩ入力端子１９（ここでは、ＨＤＭＩ入力端子１９１）が映像入力端子として選択され、且つ、認証処理を行うと判定された場合には、認証処理が完了した状態が保持されているため、改めて認証処理を行う必要がない。従って、この場合に、認証処理の実行が禁止されるため、外部機器４との間の認証処理に要する時間を更に確実に低減することができるのである。
【００７８】
加えて、端子記憶部１２１に格納された端子識別情報に対応するＨＤＭＩ入力端子１９（ここでは、ＨＤＭＩ入力端子１９１）が映像入力端子として選択され、且つ、認証処理を行わないと判定された場合に、３個のＨＤＭＩ入力端子１９１〜１９３の中から、リモコン３を介してユーザからの操作入力に基づいて選択されたＨＤＭＩ入力端子１９（ここでは、ＨＤＭＩ入力端子１９２）及び端子記憶部１２１に格納された端子識別情報に対応するＨＤＭＩ入力端子（ここでは、ＨＤＭＩ入力端子１９１）を除くＨＤＭＩ入力端子１９（ここでは、ＨＤＭＩ入力端子１９３）が、映像入力端子として選択され、映像入力端子として選択されたＨＤＭＩ入力端子１９（ここでは、ＨＤＭＩ入力端子１９３）に接続された外部機器４（ここでは、外部機器４３）との間で認証処理を行うか否かが判定されるため、ユーザが改めて映像入力端子としてＨＤＭＩ入力端子１９を選択する必要がないので、利便性良好に入力端子の選択を行うことができる。
【００７９】
なお、本発明は、以下の形態にも適用可能である。
（Ａ）本実施形態では、映像受信装置が、デジタル放送受信機１である場合について説明したが、映像受信装置が、２以上の予め設定された所定数の入力端子を備え、該所定数の入力端子の中から選択された１の入力端子を介して外部機器４から入力された映像情報をディスプレイ２１に出力可能に構成された装置であればよい。すなわち、映像受信装置が、デジタル放送を受信する受信部１５を備えていない形態でもよい。
【００８０】
（Ｂ）本実施形態では、放送受信装置が、デジタル放送受信機１である場合について説明したが、テレビジョン放送を受信可能に構成され、受信された映像情報、及び、ＨＤＭＩ入力端子１９を介して外部機器４から入力される映像情報の少なくとも一方をディスプレイ２１に出力する形態であればよい。すなわち、放送受信装置が、アナログ方式のテレビジョン放送を受信する形態でもよいし、放送受信装置が、アナログ方式及びデジタル方式のテレビジョン放送を受信する形態でもよい。
【００８１】
（Ｃ）本実施形態では、ＨＤＭＩ入力端子１９が３個のＨＤＭＩ入力端子１９１〜１９３から構成されている場合について説明したが、ＨＤＭＩ入力端子１９が２個のＨＤＭＩ入力端子から構成されている形態でもよいし、ＨＤＭＩ入力端子１９が４個以上のＨＤＭＩ入力端子から構成されている形態でもよい。
【００８２】
（Ｄ）本実施形態では、入力端子がＨＤＭＩ規格に準拠したＨＤＭＩ入力端子１９である場合について説明したが、入力端子がデジタル信号を通信可能な形態であればよい。
【００８３】
（Ｅ）本実施形態では、認証実行部１１３が、ＨＤＣＰ方式の認証処理を実行する場合について説明したが、認証実行部１１３が、他の方式の認証処理を実行する形態でもよい。
【００８４】
（Ｆ）本実施形態では、ＨＤＭＩ入力端子１９に接続されるコネクタがＡタイプのコネクタである場合について説明したが、他のタイプ（例えば、Ｂタイプ）のコネクタである形態でもよい。
【図面の簡単な説明】
【００８５】
【図１】は、本発明に係るデジタル放送受信機の構成の一例を示すブロック図である。
【図２】は、本発明に係るデジタル放送受信機における主要部の構成の一例を示すブロック図である。
【図３】は、ＨＤＭＩ入力端子に接続されるコネクタのピン配列の一例を示す図である。
【図４】は、デジタル放送受信機（主にＭＰＵ）の動作の一例を示すフローチャート（前半部）である。
【図５】は、デジタル放送受信機（主にＭＰＵ）の動作の一例を示すフローチャート（後半部）である。
【符号の説明】
【００８６】
１    デジタル放送受信機（映像受信装置、放送受信装置）
１１    ＭＰＵ
１１１    第１端子選択部（第１端子選択手段の一部）
１１２    認証要否判定部（認証要否判定手段）
１１３    認証実行部（認証実行手段）
１１４    第２端子選択部（第２端子選択手段）
１１５    認証禁止部（認証禁止
１１６    第３端子選択部（第３端子選択手段）
１２    ＲＡＭ
１２１    端子記憶部（端子記憶手段）
１９（１９１〜１９３）    ＨＤＭＩ入力端子（入力端子）
２    出力装置
２１    ディスプレイ（モニタ）
３    リモコン（第１端子選択手段の一部）
４（４１〜４３）    外部機器
【図１】
2008288647.tif 000003
【図２】
2008288647.tif 000004
【図４】
2008288647.tif 000005
【図５】
2008288647.tif 000006
【図３】
2008288647.tif 000007